(57)【要約】      （修正有）【課題】長い髪の毛であっても、長時間を要することなく、簡便かつ短時間でストレートに整えることができるストレートヘアブラシアイロンを提供する。【解決手段】ストレートヘアブラシアイロンは、手で把持可能なグリップ部と、グリップ部の長手方向の一端に連結するヘッド部２０とヘッド部２０に内蔵される発熱体と、ヘッド部２０の一面に配置され、発熱体からの熱を伝熱する伝熱体２３と、ヘッド部２０の一面から垂直方向に伸長し、伝熱体２３に対して低い伝熱性を有する一面の外周部に配置された外周部ブリスル２５と外周部ブリスル２５の内側に配置された中央部ブリスル２６とを含む複数のブリスル２４と、中央部ブリスル２６の基端が貫入し、中央部ブリスル２６の先端部が露出し、一面に平行な方向に関する断面が楕円状又は円状の複数の鞘３１と、を備える。【選択図】図２
0003206808.tif 000002
【実用新案登録請求の範囲】
【請求項１】
頭髪を梳かしてストレートに整えるブラシ付きのストレートヘアブラシアイロンであって、
手で把持可能なグリップ部と、
前記グリップ部の長手方向の一端に連結するヘッド部と
前記ヘッド部に内蔵される発熱体と、
前記ヘッド部の一面に配置され、前記発熱体からの熱を伝熱する伝熱体と、
前記ヘッド部の一面から垂直方向に伸長し、前記伝熱体に対して低い伝熱性を有する前記一面の外周部に配置された外周部ブリスルと該外周部ブリスルの内側に配置された中央部ブリスルとを含む複数のブリスルと、
前記中央部ブリスルの基端が貫入し、前記中央部ブリスルの先端部が露出し、前記一面に平行な方向に関する断面が楕円状又は円状の複数の鞘と、を備えるストレートヘアブラシアイロン。
【請求項２】
前記複数の鞘の断面は楕円状であり、
前記複数の鞘は、前記楕円の長径方向を前記長手方向に交差する方向に向けて配列されている、請求項１に記載のストレートヘアブラシアイロン。
【請求項３】
前記複数の鞘は、前記長手方向に交差する方向に配列された複数の列のそれぞれにおいて前記長手方向に一定のピッチで配列され、前記複数の列のうち互いに隣接する列に含まれる複数の鞘のピッチがずれている、請求項２に記載のストレートヘアブラシアイロン。
【請求項４】
前記鞘の中心から該鞘の短径方向の外面までの距離が、
隣接する２つの鞘の離間距離よりも短い、請求項３に記載のストレートヘアブラシアイロン。
【請求項５】
前記複数の鞘は、隣接する鞘との外面間の距離３〜８ｍｍを有する、請求項４に記載のストレートヘアブラシアイロン。
【請求項６】
前記複数の鞘が、金属製である、請求項１〜５のいずれか一項に記載のストレートヘアブラシアイロン。
【請求項７】
前記鞘を有するブリスルの先端部には、柔軟な材料からなるキャップが取り付けられている、請求項１〜６のいずれか一項に記載のストレートヘアブラシアイロン。
【請求項８】
前記キャップが、シリコン樹脂である、請求項７に記載のストレートヘアブラシアイロン。
【請求項９】
前記キャップが、熱変色性シリコン樹脂である、請求項７に記載のストレートヘアブラシアイロン。
【考案の詳細な説明】
【技術分野】
【０００１】
本考案は、頭髪をストレートに梳かすストレートヘアブラシアイロンに関するものである。
【背景技術】
【０００２】
従来、頭髪をストレートに整えるときには、頭髪をブラシ等を用いて梳かした上で、特許文献１又は非特許文献１に記載のようなヘアアイロンを用いて頭髪を加熱しまっすぐに伸ばす必要があった。しかしながら、ブラシ等とヘアアイロンとを用いる必要があることから煩雑であり、特に長い髪の毛をストレートに整えるときには長時間を要する。そこで、朝の出勤前などの忙しいときには簡便にストレートに整えられるヘアアイロンが求められていた。
【先行技術文献】
【特許文献】
【０００３】
【特許文献１】登実３１９６９５０号公報
【非特許文献】
【０００４】
【非特許文献１】http://areti.jp/haircare/628_679_680.html
【考案の概要】
【考案が解決しようとする課題】
【０００５】
本考案は、簡便に、頭髪を梳かしながらストレートに整えることができるストレートヘアブラシアイロンを提供することを目的とする。
【課題を解決するための手段】
【０００６】
本考案に係る頭髪を梳かしてストレートに整えるブラシ付きのストレートヘアブラシアイロンは、
手で把持可能なグリップ部と、
グリップ部の長手方向の一端に連結するヘッド部と
ヘッド部に内蔵される発熱体と、
ヘッド部の一面に配置され、発熱体からの熱を伝熱する伝熱体と、
ヘッド部の一面から垂直方向に伸長し、伝熱体に対して低い伝熱性を有する一面の外周部に配置された外周部ブリスルと外周部ブリスルの内側に配置された中央部ブリスルとを含む複数のブリスルと、
中央部ブリスルの基端が貫入し、中央部ブリスルの先端部が露出し、一面に平行な方向に関する断面が楕円状又は円状の複数の鞘と、を備えるストレートヘアブラシアイロンである。
【０００７】
本考案のストレートヘアブラシアイロンであれば、頭髪を梳かすと同時に、ストレートにすることができる。また、伝熱性の鞘が、ブリスルよりも短いことから、直接頭皮に鞘が接することがなく、頭皮に熱による損傷を与える恐れがない。
【０００８】
本考案に係るストレートヘアブラシアイロンの複数の鞘の断面は楕円状であり、
複数の鞘は、楕円の長径方向を長手方向に交差する方向に向けて配列されているストレートヘアブラシアイロンである。
【０００９】
本考案に係るストレートヘアブラシアイロンを用いて頭髪を梳かすと、鞘の楕円の長径方向と、ストレートヘアブラシアイロンを動かす方向とが一致し、容易に梳かすことができる。
【００１０】
本考案に係るストレートヘアブラシアイロンの複数の鞘は、長手方向に交差する方向に配列された複数の列のそれぞれにおいて長手方向に一定のピッチで配列され、複数の列のうち互いに隣接する列に含まれる複数の鞘のピッチがずれている、ストレートヘアブラシアイロンである。
【００１１】
本考案に係るストレートヘアブラシアイロンを用いて頭髪を梳かすと、鞘の間に頭髪が挟まれ、適度な張力によって引っ張ることができ、頭髪が容易にストレートに整えることができる。
【００１２】
本考案に係るストレートヘアブラシアイロンの鞘の中心から該鞘の短径方向の外面までの距離が、
隣接する２つの鞘の離間距離よりも短い、ストレートヘアブラシアイロンである。
【００１３】
本考案に係るストレートヘアブラシアイロンを用いて頭髪を梳かすと、鞘の間に頭髪が確実に挟まれ、適度な張力によって引っ張ることができ、頭髪がより容易にストレートに整えることができる。
【００１４】
本考案に係るストレートヘアブラシアイロンの複数の鞘は、隣接する鞘との外面間の距離３〜８ｍｍを有する、ストレートヘアブラシアイロンである。
【００１５】
本考案に係るストレートヘアブラシアイロンを用いて頭髪を梳かすと、鞘の間に頭髪がより確実に挟まれ、適度な張力によって引っ張られて、頭髪がより容易にストレートに整えることができる。
【００１６】
本考案に係るストレートヘアブラシアイロンの鞘が、金属製である、ストレートヘアブラシアイロンである。
【００１７】
本考案によれば、発熱体で発熱された熱が、確実に頭髪に伝わり、容易に頭髪をストレートに整えることができる。
【００１８】
本考案に係るストレートヘアブラシアイロンの鞘を有するブリスルの先端部には、柔軟な材料からなるキャップが取り付けられたストレートヘアブラシアイロンである。
【００１９】
ブリスルの先端部に柔軟な材料からなるキャップが取り付けてあると、ブリスルが頭皮に当たっても痛感を与える恐れがない。
【００２０】
本考案に係るストレートヘアブラシアイロンのキャップが、シリコン樹脂である、ストレートヘアブラシアイロンである。
【００２１】
キャップがシリコン樹脂であれば、ブリスルが頭皮に当たっても痛感を与える恐れがない。
【００２２】
本考案に係るストレートブラシアイロンのキャップが、熱変色性シリコン樹脂である、ストレートヘアブラシアイロンである。
【００２３】
キャップが、熱変色性シリコン樹脂であれば、鞘が熱せられるに従いキャップも熱せられて変色し、鞘が熱くなっていることを目視確認することができる。
【考案の効果】
【００２４】
本考案に係るストレートヘアブラシアイロンであれば、長い髪の毛であっても、長時間を要することなく、簡便かつ短時間でストレートに整えることができる。
【図面の簡単な説明】
【００２５】
【図１】図１は、本考案に係るストレートヘアブラシアイロンの構成を示す全体図である。
【図２】図２は、本考案に係るストレートヘアブラシアイロンのヘッド部の拡大平面図である。
【図３】図３は、本考案に係るストレートヘアブラシアイロンのヘッド部の拡大正面図である。
【図４】図４は、本考案に係る鞘の模式断面図である。
【図５】図５は、本考案に係るストレートヘアブラシアイロンのブリスルと鞘の関係を示す模試拡大図である。
【考案を実施するための形態】
【００２６】
以下、本考案の一実施形態を説明する。
【００２７】
図１に、本実施形態に係るストレートヘアブラシアイロン１の構成を示す。ここで、図（Ａ）は平面図、（Ｂ）は側面図、（Ｃ）は背面図である。ストレートヘアブラシアイロン１は、グリップ部１０及びヘッド部２０からなる。
【００２８】
グリップ部１０は、円柱形状を有し、その背面にスイッチ１１及び表示部１２、正面に電源ランプ、一端に電源コード２を有する。なお、グリップ部１０の他端にヘッド部２０が連結されている。
【００２９】
図２及び図３に、ヘッド部２０の構成を拡大して示す。ここで、図２及び図３は、それぞれ、平面図及び正面図である。ヘッド部２０の正面に平面２１が位置し、その平面２１に伝熱体２３及び複数のブリスル２４が設けられている。なお、平面２１は、平らな面に限られず、外側に緩く膨らむ凸面であっても良い。
【００３０】
伝熱体２３は、内側に発熱体（不図示）が装着されている。伝熱体２３の材質は、熱伝導性が良好であれば良く、例えば、ステンレス、アルミニウム合金等の金属であれば良い。伝熱体２３は、後述する中央部ブリスル２６に対応して、平面２１の垂直方向に突起した、平面２１に平行な断面が楕円状又は円形状の鞘３１を有する。鞘３１の構成については後述する。
【００３１】
複数のブリスル２４は、平面２１に垂直な方向に伸長するポリアミド樹脂からなる部材である。但し、ブリスル２４の材質は、成形性と耐熱性が良好であればよく、ポリアミド樹脂に限られず、フェノール、ポリカーボネート、アラミド、ポリブチレンテレフタレート、メラミン、ユリア等の樹脂であっても良い。複数のブリスル２４は、外周部ブリスル２５と中央部ブリスル２６を含み、外周部ブリスル２５は平面２１の最外周部に配置され、外周部ブリスル２５の内側に中央部ブリスル２６が長手方向に直角な方向に直線的に複数列配置されている。
【００３２】
図４に、鞘３１の構成を模式的に示す。ここで、図（Ａ）には中央部ブリスルの先端部２７にキャップを有しない一例、（Ｂ）には中央部ブリスルの先端部２７にキャップを有するその他の例を示す。中央部ブリスル２６は、鞘３１を貫通し、中央ブリスル２６の先端部２７が露出している。つまり、ブリスル２４は鞘３１よりも長く、頭髪を梳かす際に高温となった伝熱体２３及び鞘３１が頭皮に当接することはなく、また、ブリスル２１は、その材質がポリアミド樹脂であることから、金属と対して低い熱伝導性を有し、高温となることはないので、熱による頭皮の損傷を防止している。
【００３３】
また、図４（Ｂ）に示すように、中央部ブリスル２６の先端部２７に、シリコン樹脂製のキャップ２８をもうけてもよい。中央部ブリスル２６が頭皮に当接しても痛感を与えることがなく、好ましい。なお、キャップ２８の材質は、硬い材質ではなく、例えば、合成ゴム等の柔軟な材料であればよく、シリコン樹脂に限られない。また、キャップ２８が加熱されると色が変色する熱変色性シリコン樹脂であると、伝熱体２２及び鞘３１が熱せられたことを目視確認でき、好ましい。
【００３４】
図５に、ブリスル２４と鞘３１との関係を示す。鞘３１は上面視楕円形状を有し、その長径方向を、長手方向に垂直な方向（ずなわち、図面上下方向）に向けて配列されている。本考案に係るストレートヘアブラシアイロン１を用いて頭髪を梳かすと、鞘３１の楕円の長径方向とブラッシングの方向とが一致することで、容易に梳かすことができる。
【００３５】
また、鞘３１は、長手方向と垂直な方向に千鳥状に配列されている。すなわち、ヘッド部２０の平面上で、複数の鞘３１が長手方向に一定のピッチで複数列（本例では３列）、ただし互いに隣接する列を半ピッチずらして、配列されている。ここで、ある鞘３１の中心からその鞘３１の短径方向の外面までの距離をａとし、その鞘３１が属する列に隣接する別の列に含まれる鞘３１の離間距離（すなわち、外面間の距離）をｂとすると、ａ＜ｂの関係にある。したがって、本考案に係るストレートヘアブラシアイロン１を用いて頭髪を梳かすと、鞘３１の間に頭髪が挟まれ、適度な張力によって引っ張ることができ、頭髪を容易にストレートに整えることができる。
【００３６】
なお、隣接する鞘３１の外面間の距離ｃが、３〜８ｍｍであると、鞘３１の間に頭髪がより確実に挟まれ、適度な張力によって引っ張られて、頭髪がより容易にストレートに整えることができ、好ましい。
【００３７】
本考案に係るストレートヘアブラシアイロンの使用方法について、説明する。
【００３８】
先ず、電源コード２の先端に有するプラグ（不図示）をコンセントに挿入した上で、グリップ部１０の背面に有するスイッチ１１を押し、通電する。次に、スイッチ１１を長押しして、頭髪をストレートにするに適した所望の温度に、表示部１２に表示された温度で確認しながら、発熱体（不図示）の温度を設定する。なお、発熱体（不図示）の温度は、例えば、８０、１００、１２０、１６０、及び、２００℃を選ぶことができるように設定されている。但し、これらの温度に限られず、他の温度の組み合わせでも、連続的に温度を設定することができるようになっていても良い。また、スイッチ１１を押し、通電すると、グリップ部１０の前面に有する電源ランプ１２が点灯し、通電していることを目視確認することができる。
【００３９】
所望の温度に設定した後に、手でグリップ部１０を把持し、ヘッド部２０に設けられたブリスル２４を用いて頭髪のブラッシングを行う。ブラッシングを行うと、発熱体（不図示）により伝熱体２２及び鞘３１が熱せられ、頭髪に熱が加えられるとともに、鞘３１に当接した頭髪に適度な張力が加わり、頭髪を梳かすだけで、頭髪をストレートにすることができる。
【００４０】
頭髪を洗った直後等に頭髪が濡れた状態で本考案に係るストレートヘアブラシアイロン１を用いて頭髪をブラッシングすると、熱せられた伝熱部２３と鞘３１により頭髪を乾かしながら、ストレートに整えることも可能であり、従来のように、ヘアドライアとブラシ等を用いる煩雑さがない。
【００４１】
頭髪のブラッシング終了後は、スイッチ１１を押し、通電を切断すると、発熱体２２の発熱は止まり、放置すると伝熱体２３と鞘３１は常温まで放冷される。
【産業上の利用可能性】
【００４２】
本考案に係るストレートヘアブラシアイロンは、長い髪の毛であっても、長時間を要することなく、簡便かつ短時間でストレートに整えることができる。また、濡れた頭髪を乾かしながらストレートに整えることも可能である。
【符号の説明】
【００４３】
１…ストレートヘアブラシアイロン
２…電源コード
１０…グリップ部
１１…スイッチ
１２…表示部
１３…電源ランプ
２０…平面
２１…発熱体
２３…伝熱体
２４…ブリスル
２５…外周部ブリスル
２６…中央部ブリスル
２７…先端部
２８…キャップ
３１…鞘
【図１】
0003206808.tif 000003
【図２】
0003206808.tif 000004
【図３】
0003206808.tif 000005
【図４】
0003206808.tif 000006
【図５】
0003206808.tif 000007